(57)【要約】【課題】  混成集積回路が形成された回路基板１０がマトリック状に形成された金属基板の取り扱い性を向上させる。【解決手段】  一枚の金属基板と、前記金属基板上に絶縁処理されて設けられ、混成集積回路のパターン１２が複数並べられて配置された導電パターン１２・・・と、前記混成集積回路のパターン１２と電気的に接続されて実装された回路素子１３と、前記金属基板の裏面から前記金属基板の厚さよりも浅く形成され、前記混成集積回路のパターンの境界に設けられた溝２０とを有することで、１枚のシート状として扱うことができる。【選択図】  図８
2008022033.tif 000002
【特許請求の範囲】
【請求項１】
一枚の金属基板と、
前記金属基板上に絶縁処理されて設けられ、混成集積回路のパターンが複数並べられて配置された導電パターンと、
前記混成集積回路のパターンと電気的に接続されて実装された回路素子と、
前記金属基板の裏面から前記金属基板の厚さよりも浅く形成され、前記混成集積回路のパターンの境界に設けられた溝とを有することを特徴とする混成集積回路装置。
【請求項２】
前記溝に対応する前記金属基板の取り除かれていない部分で複数の前記混成集積回路を一枚とする請求項１に記載の混成集積回路装置。
【請求項３】
前記溝は、当該溝を介して折れ曲がる深さであり、溝で囲まれた複数の金属基板は、平坦性を有する請求項１または請求項２に記載の混成集積回路装置。
【請求項４】
金属基板の材料は、Ｃｕ、Ａｌまたは合金が採用される請求項３に記載の混成集積回路装置。
【請求項５】
前記金属基板の表面には絶縁層が設けられ、その上に前記導電パターンが設けられる請求項４に記載の混成集積回路装置。
【発明の詳細な説明】
【技術分野】
【０００１】
本発明は混成集積回路装置に関し、特に、絶縁性樹脂と基板との接着性を向上させることができる混成集積回路装置に関するものである。
【背景技術】
【０００２】
図１２を参照して、従来の混成集積回路装置の構成を説明する。図１２（Ａ）は混成集積回路装置６の斜視図であり、図１２（Ｂ）は図１２（Ａ）のＸ−Ｘ‘線に於ける断面図である。
【０００３】
図１２（Ａ）および図１２（Ｂ）を参照して、従来の混成集積回路装置６は次のような構成を有する。矩形の基板６０と、基板６０の表面に設けられた絶縁層６１上に形成された導電パターン６２と、導電パターン６２上に固着された回路素子６３と、回路素子６３と導電パターン６２とを電気的に接続する金属細線６５と、導電パターンと電気的に接続されたリード６４とで、混成集積回路装置６は構成されている。そして、回路基板６０の表面に形成された混成集積回路を、絶縁性樹脂もしくはケース材等で封止することにより、混成集積回路装置６は製品として完成する。
【０００４】
次に、図１３から図１５を参照して混成集積回路装置６を製造する方法を説明する。
【０００５】
図１３を参照して、大判の金属基板６６Ａを細長に分割する工程を説明する。
同図に於いて、図１３（Ａ）は大判の金属基板６６Ａの平面図である。図１３（Ｂ）は大判の金属基板６６Ａの断面図である。
【０００６】
図１３（Ａ）を参照して、大判の金属基板６６Ａを細長に分割する方法を説明する。ここでは、大判の金属基板６６Ａを、ダイシングラインＤ４により細長に分割する。この分割は、剪断力によるシャーリングにより行う。さらに細長に分割された金属基板は、その後のボンディン工程等の作業性が考慮されて、２つまたはそれ以上に分割されても良い。ここでは、細長に分割された金属基板は、長さの異なる２つの金属基板６６Ｂに分割される。
【０００７】
図１３（Ｂ）を参照して、金属基板６６Ａの構成を説明する。ここでは、基板６６Ａはアルミから成る基板であり、両面はアルマイト処理されている。また、混成集積回路が形成される面に於いては、金属基板６６Ａと導電パターンとの絶縁を行うために、絶縁層６１が設けられている。そして、絶縁層６１には、導電パターン６２となる銅箔６８が圧着されている。
【０００８】
図１４を参照して、細長に分割された金属基板６６Ｂの表面に混成集積回路６７を形成する工程を説明する。この図に於いて、図１４（Ａ）は、複数の混成集積回路６７が形成された細長の金属基板６６Ｂの平面図である。そして、図１４（Ｂ）は、図１４（Ａ）の断面図である。
【０００９】
先ず、絶縁層６１上に圧着された銅箔６８をエッチングすることにより、導電パターン６２を形成する。ここでは、細長の金属基板６６Ｂに、複数の混成集積回路を形成するように導電パターン６２をエッチングする。また、導電パターン６２を保護するために、導電パターン６２上に、樹脂のオーバーコートを施す場合もある。
【００１０】
次に、半田等のロウ材を用いて、導電パターン６２上の所定の箇所に回路素子６３を固着する。回路素子６３としては、受動素子や能動素子を全般的に採用することができる。また、パワー系の素子を実装する場合は、導電パターン上に固着されたヒートシンク上に素子が実装される。
図１５を参照して、複数の混成集積回路６７が形成された金属基板６６Ｂを個々の回路基板６０に分割する方法を説明する。表面に混成集積回路６７が形成された個々の回路基板６０は、プレス機を用いて回路基板６０の部分を打ち抜くことにより、金属基板６６Ｂから分割される。ここで、プレス機は、混成集積回路６７が形成される面から金属基板６６Ｂを打ち抜く。従って、回路基板６０の周端部には、導電パターン６２や回路素子６３が形成されないマージンが形成される。
【００１１】
以上の工程で個々に分離された回路基板６０は、混成集積回路６７を封止する工程等を経て、製品として完成する。
【発明の開示】
【発明が解決しようとする課題】
【００１２】
しかしながら、上述したような混成集積回路装置とその製造方法は以下に示すような問題を有していた。
【００１３】
第１に、回路基板の側面は、回路基板の表面に対して垂直に形成されていたので、回路基板と封止樹脂との接着性が弱い問題があった。
【００１４】
第２に、従来例では、回路が形成される面から金属基板６６Ｂをプレスすることにより、回路基板６０を金属基板６６Ｂから分離していた。従って、回路基板の底面と側面とが連続する部分が丸みを帯びた形状となっていた。このことから、モールドの工程に於いて、回路基板の裏面に封止樹脂が回り込み、この封止樹脂が回路基板の裏面に付着してしまう問題があった
本発明は、上記した問題を鑑みて成されたものである。従って、本発明の主な目的は、回路基板と封止樹脂との接合力を向上させた混成集積回路装置を提供することにある。
【課題を解決するための手段】
【００１５】
本発明の混成集積回路装置は、一枚の金属基板と、
前記金属基板上に絶縁処理されて設けられ、混成集積回路のパターンが複数並べられて配置された導電パターンと、
前記混成集積回路のパターンと電気的に接続されて実装された回路素子と、
前記金属基板の裏面から前記金属基板の厚さよりも浅く形成され、前記混成集積回路のパターンの境界に設けられた溝とを有することで解決するもので有る。
【発明の効果】
【００１６】
本発明では、以下に示すような効果を奏することができる。
【００１７】
第１に、回路基板１０を露出させて全体を絶縁性樹脂１６で封止する混成集積回路装置に於いて、回路基板１０の側面に傾斜部１０Ｂを設けることにより、絶縁性樹脂１６と回路基板１０との接着性を向上させることができる。従って、回路基板１０が絶縁性樹脂１６から離脱するのを防止することができる。
【００１８】
第２に、回路基板１０はダイシングにより製造されるので、回路基板１０の裏面と傾斜部１０Ｂとが連続する部分の断面形状は、鈍角の形状に成っている。即ち、回路基板１０の裏面と側面とが連続する部分の形状が丸みを帯びた形状と成っていない。従って、金型を用いて回路基板の裏面を露出させて絶縁性樹脂１６で封止を行う工程に於いて、絶縁性樹脂１６が金型と回路基板１０との隙間に侵入するのを防止することができる。このことから、絶縁性樹脂１６が回路基板１０の裏面に付着するのを防止することができる。
【発明を実施するための最良の形態】
【００１９】
（混成集積回路装置１を説明する第１の実施の形態）
図１を参照して、絶縁性樹脂で封止された混成集積回路装置の構成を説明する。図１（Ａ）は混成集積回路装置１の斜視図であり、図１（Ｂ）は図１（Ａ）のＸ−Ｘ‘線に於ける断面図である。
【００２０】
図１（Ａ）および図１（Ｂ）を参照して、混成集積回路装置１の構造を説明する。同図に示す混成集積回路装置１は、混成集積回路装置１を樹脂封止したものである。
【００２１】
絶縁性樹脂１６は、回路基板１０の表面に設けられた回路素子１３等から成る混成集積回路を封止する働きを有する。絶縁性樹脂１６の種類としては、インジェクションモールドにより封止する熱可塑性樹脂や、トランスファーモールドにより封止する熱硬化性樹脂等を採用することができる。
【００２２】
図１（Ｂ）を参照して、回路基板１０の側面は垂直部１０Ａと傾斜部１０Ｂとを有する。具体的には、回路基板１０の表面と垂直部１０Ａとが形成する角度は直角である。そして、回路基板１０の裏面と傾斜部１０Ｂが形成する角度は鈍角である。従って、同図のように回路基板１０の裏面を露出させて樹脂封止を行った場合、傾斜部１０Ｂに絶縁性樹脂１６が回り込む形となり、傾斜部１０Ｂと絶縁性樹脂１６との間にアンカー効果が発生する。
【００２３】
図２を参照して、本発明の混成集積回路装置１に於いて、回路基板１０上に形成される混成集積回路の構成等を説明する。図２（Ａ）は混成集積回路装置１の斜視図であり、図２（Ｂ）は図２（Ａ）のＸ−Ｘ‘線に於ける断面図である。
【００２４】
図２（Ａ）および図２（Ｂ）を参照して、混成集積回路装置１は次のような構成を有している。即ち、金属から成る回路基板１０と、回路基板１０の表面に形成された絶縁層１１と、絶縁層１１上に形成された導電パターン１２と、導電パターン１２上の所定の位置に実装された回路素子１３等から、混成集積回路装置１は構成されている。このような各構成要素を以下にて詳細に説明する。
【００２５】
回路基板１０の材料としては、アルミや銅等の金属が採用される。また、回路基板１０の材料として合金を採用しても良い。ここでは、アルミからなる回路基板１０を採用し、その両面はアルマイト処理されている。回路基板１０の側面は、上面から垂直に延在する垂直部１０Ａと、垂直部１０Ａから下方に延在し且つ回路基板１０の内側に傾斜する傾斜部１０Ｂとから形成されている。回路基板１０の側面に傾斜部１０Ｂが形成される理由は、その製造方法にある。即ち、回路基板１０は大判の金属基板を切り分けることにより製造される。具体的には、先ず金属基板の裏面からＶ型の溝を形成し、その後に表面から溝が形成された箇所の残りの厚み部分を除去する。このＶ型の溝の部分が傾斜部１０Ｂとなる。なお、回路基板１０を形成する具体的な製造方法については、混成集積回路装置の製造方法を説明する実施の形態で後述する。
【００２６】
絶縁層１１は、回路基板１０の表面に形成されており、導電パターン１２と回路基板とを絶縁させる働きを有する。また、回路素子１３から発せられる熱を積極的に回路基板１０に伝達させるために、絶縁層１１にはアルミナが高充填されている。
【００２７】
導電パターン１２は、絶縁層１１の表面に設けられており、銅等の金属から形成されている。ここで、導電パターン１２は回路基板１０の表面に全面的に形成されている。具体的には、導電パターン１２は、回路基板１０の周端から２ｍｍ以内の周端部付近にも形成されている。このように、回路基板１０の周端部付近の表面まで導電パターン１２を形成することができる理由は、回路基板１０を分割する方法にある。回路基板１０を分割する方法の詳細については後述するが、本発明では、金属基板を切断することによって大判の金属基板から個々の回路基板１０を分割している。従来例では、プレスにより回路基板を分割していたので、回路基板１０の周端部付近にはマージンが必須であったが、本発明ではこのマージンを排除することが可能となり、回路基板１０の表面全域に導電パターン１２を形成することができる。
【００２８】
回路素子１３は、導電パターン１２の所定の箇所に、半田等のロウ材を介して実装される。回路素子１３としては、受動素子、能動素子または回路装置等を全般的に採用することができる。また、パワー系の素子を実装する場合は、導電パターン上に固着されたヒートシンク上にその素子が実装される。本発明に於いて、回路素子１３は、回路基板１０の任意の箇所に配置させることができる。即ち、回路基板１０の周端部付近にも、回路素子１３を配置させることができる。具体的には、回路基板１０の周端部から２ｍｍ以内の、回路基板１０の表面に回路素子を配置させることが可能である。
【００２９】
ヒートシンク１３Ａは、導電パターン１２の所定の箇所に実装される。そして、その上面にはパワー系の素子が実装され、パワー系の素子と導電パターン１２は金属細線１５で電気的に接続される。ここで、ヒートシンク１３Ａは回路基板１０の任意の箇所に配置させることができる。具体的には、ヒートシンク１３Ａは、回路基板１０の周端から２ｍｍ以内の周端部付近にも配置させることができる。このように、回路基板１０の周端部付近の表面までヒートシンク１３Ａを配置させることができる理由は、回路基板１０を分割する方法にある。
【００３０】
回路基板１０を分割する方法の詳細については後述するが、本発明では、金属基板を切断することによって大判の金属基板から個々の回路基板１０を分割している。従来例では、プレスにより回路基板を分割していたので、回路基板１０の周端部付近にはマージンが必須であった。更に、パワー系の素子が実装されたヒートシンク１３は、回路素子１３の中で最も高さを有するものであるため、回路基板１０の周辺部に配置させることができなかった。本発明ではこのマージンを排除することが可能となり、回路基板１０の表面のどの箇所にもヒートシンク１３Ａを配置させることができる。同様のことは、受動素子や能動素子等の他の回路素子１３についても言える。
【００３１】
リード１４は、導電パターン１２より成るパッドに固着されており、外部との入力・出力を行う働きを有する。また、パワー系の素子等はフェイスアップで実装され、金属細線１５により導電パターン１２と電気的に接続されている。更にまた、導電パターン１２に於いて、電気的な接続を行わない箇所は、樹脂等によるオーバーコートが施されても良い。
【００３２】
上記したような混成集積回路装置１０の構成により、以下に示すような効果を奏することができる。
【００３３】
第１に、導電パターン１２を回路基板１０の端部付近まで形成させることができるので、従来例と同じ回路を形成した場合は、混成集積回路装置全体の大きさを小さくすることができる。
【００３４】
第２に、回路素子１３を回路基板１０の端部付近まで配置させることができるので、電気回路を設計する自由度を向上させることができる。更に、パターンの密度を向上させることができるので、従来例と同じ回路を形成した場合は、混成集積回路装置全体の大きさを小さくすることができる。
【００３５】
第４に、回路基板１０傾斜部１０Ｂと絶縁性樹脂１６との間にアンカー効果が発生するので、回路基板１０が絶縁性樹脂１６から離脱するのを防止することができる。
【００３６】
第５に、回路基板１０の裏面と側面とが連続する部分が鈍角に形成されており、丸みを帯びた形状と成っていない。従って、金型を用いて回路基板の裏面を露出させて絶縁性樹脂１６で封止を行う工程に於いて、絶縁性樹脂１６が金型と回路基板１０との隙間に侵入するのを防止することができる。このことから、絶縁性樹脂１６が回路基板１０の裏面に付着するのを防止することができる。
【００３７】
（混成集積回路装置の製造方法を説明する第２の実施の形態）
図３〜図１１を参照して、混成集積回路装置の製造方法を説明する。先ず、図３のフローチャートを参照して本実施の形態の全体的な工程を説明する。本実施の形態では、次のような工程により混成集積回路装置を製造する。即ち、大判の金属基板を分割することにより中板の金属基板に切り分ける工程と、中板の金属基板の表面に複数の混成集積回路の導電パターンを形成する工程と、中板の金属基板の絶縁層が設けられない面に格子状に溝を形成する工程と、導電パターン上に回路素子を実装するダイボンドの工程と、ワイヤボンドを行う工程と、金属基板の溝の残りの厚み部分および絶縁層を切除することにより個々の回路基板を分離する工程等で、混成集積回路装置は製造される。更に、分割された回路基板１０は絶縁性樹脂で封止される。このような各工程を以下にて説明する。
【００３８】
第１工程：図４参照
本工程は、大判の金属基板１０Ａを分割することにより、中板の金属基板１０Ｂを形成する工程である。
【００３９】
先ず、図４（Ａ）を参照して、大判の金属基板１０Ａを用意する。例えば、大判の基板１０Ａの大きさは、約１メートルの正方形である。ここでは、金属基板１０Ａは、両面がアルマイト処理されたアルミ基板である。そして、金属基板１０Ａの表面には絶縁層が設けられている。更に、絶縁層の表面には、導電パターンとなる銅箔が形成してある。
【００４０】
次に、図４（Ｂ）を参照して、カットソー３１によりダイシングラインＤ１に沿って、金属基板１０Ａを分割する。ここでは、複数の金属基板１０Ａを重ね合わせることで、複数枚の金属基板１０Ａを同時に分割している。カットソー３１は高速に回転しながら、ダイシングラインＤ１に沿って金属基板１０Ａを分割している。分割の方法としては、ここでは、正方形の形状を有する大判の金属基板１０Ａを、ダイシングラインＤ１に沿って８分割することにより、細長の中板の金属基板１０Ｂとしている。ここでは、中板の金属基板１０Ｂの形状は、長辺の長さが、短編の長さの２倍の長さと成っている。
【００４１】
図４（Ｃ）を参照して、カットソー３１の刃先の形状等について説明する。図４（Ｃ）はカットソー３１の刃先３１Ａ付近の拡大図である。刃先３１Ａの端部は平坦に形成されており、ダイヤモンドが埋め込まれている。このような刃先を有するカットソーを高速で回転させることで、ダイシングラインＤ１に沿って金属基板１０Ａを分割することができる。
【００４２】
この工程により製造された中板の金属基板１０Ｂは、エッチングを行って銅箔を部分的に除去することにより、導電パターンが形成される。形成される導電パターンの個数は、金属基板１０Ｂの大きさや混成集積回路の大きさにもよるが、数十個から数百個の混成集積回路を形成する導電パターンを１枚の金属基板１０Ｂに形成することができる。
【００４３】
第２工程：図５および図６参照
本工程は、中板の金属基板１０Ｂの絶縁層が設けられない面に格子状に溝２０を形成する工程である。図５（Ａ）は前工程にて分割された中板の金属基板１０Ｂの平面図であり、図５（Ｂ）はＶカットソー３５を用いて金属基板１０Ａに溝を形成する状態を示す斜視図であり、図５（Ｃ）は刃先３５Ａの拡大図である。
【００４４】
図５（Ａ）および図５（Ｂ）を参照して、Ｖカットソー３５を高速で回転させて、ダイシングラインＤ２に沿って金属基板に溝を形成する。ダイシングラインＤ２は格子状に設けられている。そして、ダイシングラインＤ２は、絶縁層１１上に形成された個々の導電パターンの境界線に対応している。
【００４５】
図５（Ｃ）を参照して、Ｖカットソー３５の形状について説明する。Ｖカットソー３５には、同図に示すような形状を有する刃先３５Ａが多数設けられている。ここで、刃先３５Ａの形状は、金属基板１０Ａに設けられる溝の形状に対応している。ここでは、Ｖ型の断面を有する溝が、金属基板の裏面（絶縁層１１が設けられない面）に形成される。従って、刃先３５Ａの形状もまたＶ型となっている。なお、刃先３５Ａにはダイヤモンドが埋め込まれている。
【００４６】
次に、図６（Ａ）および図６（Ｂ）を参照して、溝２０が形成された金属基板１０Ｂの形状を説明する。図６（Ａ）はカットソー３１により溝が形成された金属基板１０Ｂの斜視図であり、図６（Ｂ）は金属基板１０Ｂの断面図である。
【００４７】
図６（Ａ）を参照して、金属基板１０Ｂの絶縁層１１が設けられない面には、溝２０が格子状に形成されている。本実施の形態では、Ｖ型の形状の刃先３５Ａを有するＶカットソー３５を用いて溝を形成するので、溝２０はＶ型の断面となる。また、溝２０の中心線は、絶縁層１１上に形成された個々の導電パターン１２の境界線に対応している。
【００４８】
図６（Ｂ）を参照して、溝２０の形状等を説明する。ここでは、溝２０はＶ型の断面に形成されている。そして、溝２０の深さは、金属基板１０Ｂの厚さよりも浅く成っている。従って、本工程では金属基板１０Ｂは個々の回路基板１０に分割されない。即ち、個々の回路基板１０は、溝２０の部分に対応する金属基板１０Ｂの残りの厚み部分で連結されている。従って、個々の回路基板１０として分割するまでは、金属基板１０Ｂは１枚のシート状のものとして扱うことができる。また、本工程に於いて、「バリ」が発生した場合は、高圧洗浄を行って「バリ」を除去する。
【００４９】
第３工程：図７から図９参照
本工程は、導電パターン１２上に回路素子１３を実装し、回路素子１３と導電パターン１２との電気的接続を行う工程である。
【００５０】
図７を参照して、導電パターン１２上に回路素子１３を実装するダイボンドの工程を説明する。図７は、導電パターン１２に回路素子１３が実装された状態を示す断面図である。回路素子１３は、半田等のロウ材を介して導電パターン１２の所定の箇所に実装される。前述したように、導電パターン１２は回路基板１０の周端部付近にも形成されている。従って、回路素子１３もまた回路基板１０の周端部付近に実装させることが可能である。また、上面にパワー系の素子が実装されたヒートシンク１３Ａは、他の回路素子と比較すると、高さを有する回路素子である。このことから、プレス機を用いた従来の混成集積回路装置の製造方法では、ヒートシンク１３Ａを回路素子１３の周端部付近に配置させることはできなかった。後述するが、本発明では、丸カッターを用いて回路基板１０を個々に分割している。従って、ヒートシンク１３Ａ等の高さを有する回路素子１３を、回路素子１３の周端部付近に配置させることが可能となる。
【００５１】
図８を参照して、回路素子１３と導電パターン１２との電気的接続を行うワイヤボンドの工程を説明する。図８は、金属細線１５を用いて、回路素子１３と導電パターン１２とを電気的に接続した状態を示す断面図である。ここでは、１枚の金属基板１０Ｂに形成された数十から数百個の混成集積回路について、一括してワイヤボンドを行う。
【００５２】
図９を参照して、具体的に、金属基板１０Ｂに形成された混成集積回路を説明する。図９は金属基板１０Ｂに形成された混成集積回路１７の１部分の平面図であり、実際は更に多数個の混成集積回路１７が形成される。また、金属基板１０Ｂを個々の回路基板１０に分割するダイシングラインＤ３を、同図では点線で示している。同図から明らかなように、個々の混成集積回路を形成する導電パターン１２とダイシングラインＤ２は、極めて接近している。このことから、金属基板１０Ｂの表面には全面的に導電パターン１２が形成されることが分かる。更に、ヒートシンク１３Ａ等の回路素子１３が混成集積回路の周辺部に配置されていることが分かる。
【００５３】
上記の説明では、細長の形状を有する基板１０Ｂの表面に一括して混成集積回路を形成した。ここで、ダイボンドやワイヤボンドを行う製造装置に制約が有る場合は、本工程の前の工程で金属基板１０Ｂを所望のサイズに分割することもできる。例えば、本工程の前の工程で、金属基板１０Ｂを２分割すると、金属基板は正方形の形状となる。
【００５４】
第４工程：図１０参照
本工程は、金属基板１０Ｂの溝の残りの厚み部分および絶縁層１１を切除することにより、金属基板１０Ｂを個々の回路基板１０に分離する工程である。図１０（Ａ）は、丸カッター４１を用いて金属基板１０Ｂを個々の回路基板１０に分割する状態を示す斜視図である。図１０（Ｂ）は図１０（Ａ）の断面図である。ここで、図示はしていないが、図１０（Ａ）では、絶縁層１１上には多数個の混成集積回路が形成されている。
【００５５】
図１０（Ａ）を参照して、丸カッター４１を用いてダイシングラインＤ３沿いに金属基板１０Ｂを押し切る。このことにより金属基板１０Ｂは個々の回路基板１０に分割される。丸カッター４１は、金属基板１０Ｂの絶縁層１１が設けられた面の、溝２０の中心線に対応する部分を押し切る。ここでは、溝２０はＶ型の断面を有する。従って、溝２０が最も深く形成された部分の、金属基板１０Ｂの残りの厚み部分と絶縁層１１とを、丸カッター４１は切除することになる。
【００５６】
図１０（Ｂ）を参照して、丸カッター４１の詳細について説明する。丸カッター４１は円板状の形状を有しており、その周端部は鋭角に形成してある。丸カッター４１の中心部は、丸カッター４１が自由回転できるように支持部４２に固定してある。前述したカットソーは、駆動力により高速に回転しながら金属基板１０Ｂを切断していた。ここでは、丸カッター４１は駆動力を有さない。即ち、丸カッター４１の一部を金属基板１０Ｂに押し当てながら、ダイシングラインＤ３に沿って移動させることで、丸カッター４１は回転する。原理的には、ピザを切り分ける治具と同様である。
【００５７】
次に丸カッター４１の大きさについて説明する。溝２０が形成された箇所に於いて、金属基板１０Ｂの残りの厚さと絶縁層１１の厚さとを加算した長さをｄとする。そして、回路素子１３の中で最も高い素子の、頂部から絶縁層１１の表面までの長さをｈ１とする。この場合、丸カッター４１の半径は、ｄ１とｈ１とを加算した長さよりも長く設定される。このように設定することで、金属基板１０Ｂから回路基板１０を、確実に分割させることができる。それと共に、丸カッター４１を支持する支持部４２の下端が、回路素子１３に接触して、回路素子１３が破損するのを防止することができる。
【００５８】
次に、図１０（Ｂ）を参照して、丸カッター４１により金属基板１０Ｂの分割を行う詳細について説明する。上述したように、本発明では、ヒートシンク１３Ａ等の高さを有する回路素子１３を、回路基板１０の周辺部に配置させることができる。このことから、同図に示すようにヒートシンク１３Ａの位置が、ダイシングラインＤ３に接近する場合がある。このような場合でも、支持部４２がヒートシンク１３Ａに接触しないように次のように支持部４２の位置を設定している。
【００５９】
即ち、回路素子１３の中で最も高さを有する素子の、頂部から絶縁層１１の表面までの距離をｈ１とした場合、支持部４２の下端から絶縁層１１の表面までの長さｈ２はｈ１よりも長く設定されている。例えば、本実施例では、ヒートシンク１３Ａに実装されたパワー系の素子から導出される金属細線１５の頂部が、混成集積回路の中で最も高い部分である。この場合、支持部４２の下端は、金属細線１５の頂部よりも高い位置に設定されている。このように、支持部４２の下端の位置を設定することで、金属細線１５が断線してしまうのを防止することができる。
【００６０】
第５工程：図１１参照
図１１を参照して、回路基板１０を絶縁性樹脂１６で封止する工程を説明する。図１１は、金型５０を用いて回路基板１０を絶縁性樹脂１６で封止する工程を示す断面図である。
【００６１】
先ず、下金型５０Ｂに回路基板１０を載置する。次に、ゲート５３より絶縁性樹脂１６を注入する。封止を行う手法としては、熱硬化性樹脂を用いるトランスファーモールド、若しくは熱硬化性樹脂を用いるインジェクションモールドを採用することができる。そして、ゲート５３から注入される絶縁性樹脂１６の量に応じたキャビティ内部の気体がエアベント５４を介して外部に放出される。
【００６２】
上述したように、回路基板１０の側面部には傾斜部１０Ｂが設けられている。従って、絶縁性樹脂で封止することにより、傾斜部１０Ｂ付近に絶縁性樹脂１６が回り込む。このことから、絶縁性樹脂１６と傾斜部１０Ｂとの間にアンカー効果が発生し、絶縁性樹脂１６と回路基板１０との接合が強化される。また、回路基板１０の裏面と傾斜部１０Ｂが連続する部分の断面形状は鈍角に形成されており、丸みを帯びた形状と成っていない。従って、ゲート５３から注入された絶縁性樹脂１６が、下金型５０Ｂと回路基板１０の裏面に侵入するのを防止することができる。
【００６３】
上記した工程により、樹脂による封止が行われた混成集積回路装置は、リードカットの工程等を経て製品として完成する。
【００６４】
本実施の形態により、以下に示すような効果を奏することができる。
【００６５】
第１に、高速で回転するカットソー３１を用いて、大判の金属基板を分割するので、従来のシャーリングを用いた基板の分割方法と比較すると、「バリ」の発生が非常に少ない。従って、製造工程の途中段階等に於いて、「バリ」により混成集積回路がショートして不良品が発生してしまうのを防止することができる。
【００６６】
第２に、重ね合わされた複数枚の大判の金属基板１０Ａを、カットソー３１を用いて同時に分割するので、作業効率を向上させることができる。
【００６７】
第３に、カットソー３１が摩耗した場合でも、カットソー３１の交換は比較的簡単な作業であり素早く行うことができる。従って、従来のシャーリングの刃の交換と比較した場合は、作業の効率を向上させることができる。
【００６８】
第４に、金属基板１０Ｂの個々の回路基板１０の境界線に対応する部分に、溝を形成する。このことから、金属基板１０Ｂを搬送する際に、金属基板１０Ｂ全体に「たわみ」が生じた場合でも、溝２０の部分が優先的に折り曲がる。従って、個々の回路基板１０の平坦性が損なわれるのを防止することができる。
【００６９】
第５に、１枚の金属基板１０Ｂに、数十個から数百個の混成集積回路を組み込むことが可能となる。従って、エッチングの工程、ダイボンドの工程およびワイヤボンドの工程を一括して行うことが可能となる。このことから、生産性を向上させることができる。
【００７０】
第６に、金属基板１０Ｂを個々の回路基板１０に分割する工程に於いて、駆動力を有さない丸カッター４１を、金属基板１０Ｂに押し当てることにより回転させて金属基板１０Ｂを分割している。従って、丸カッター４１は溝２０の残りの厚み部分と絶縁層１１とを切除するので、研削屑が全く発生しない。このことから、製造工程に於いて、混成集積回路がショートするのを防止することができる。
【００７１】
第７に、丸カッター４１を溝２０に対応する部分に押し当てることにより、金属基板１０Ｂの分割を行う。従って、樹脂層１１にクラックが発生して装置の耐圧性が低下してしまうのを防止することができる。更に、基板１０Ｂの平坦性を確保することができる。
【００７２】
第８に、丸カッター４１が摩耗した場合でも、丸カッター４１の取り替えは比較的簡単な作業であり短時間で行える。このことから、生産性を向上させることができる。
【００７３】
第９に、本発明では、カットソー３１や丸カッター４１を用いて金属基板を「切断」することにより、個々の回路基板を分離させている。従来例のように、プレス機を用いて回路基板の分離を行った場合は、製造される回路基板の大きさに応じて、異なる刃を用意する必要があった。本発明では、大きさの異なる回路基板を有する混成集積回路装置を製造する場合でも、ダイシングラインを変更するのみで対応することができる。
【００７４】
第１０に、本発明では、１枚の金属基板１０Ｂにマトリックス状に多数個の混成集積回路を組み込む。そして各混成集積回路同士は極めて接近しているので、金属基板１０Ｂのほぼ全面が回路基板１０となる。従って、材料の廃棄ロスを少なくすることができる。
【００７５】
本発明では、以下に示すような効果を奏することができる。
【００７６】
第１に、回路基板１０を露出させて全体を絶縁性樹脂１６で封止する混成集積回路装置に於いて、回路基板１０の側面に傾斜部１０Ｂを設けることにより、絶縁性樹脂１６と回路基板１０との接着性を向上させることができる。従って、回路基板１０が絶縁性樹脂１６から離脱するのを防止することができる。
【００７７】
第２に、回路基板１０はダイシングにより製造されるので、回路基板１０の裏面と傾斜部１０Ｂとが連続する部分の断面形状は、鈍角の形状に成っている。即ち、回路基板１０の裏面と側面とが連続する部分の形状が丸みを帯びた形状と成っていない。従って、金型を用いて回路基板の裏面を露出させて絶縁性樹脂１６で封止を行う工程に於いて、絶縁性樹脂１６が金型と回路基板１０との隙間に侵入するのを防止することができる。このことから、絶縁性樹脂１６が回路基板１０の裏面に付着するのを防止することができる。
【図面の簡単な説明】
【００７８】
【図１】本発明の混成集積回路装置の斜視図（Ａ）、断面図（Ｂ）である。
【図２】本発明の混成集積回路装置の斜視図（Ａ）、断面図（Ｂ）である。
【図３】本発明の混成集積回路装置の製造方法を説明するフローチャートである。
【図４】本発明の混成集積回路装置の製造方法を説明する平面図（Ａ）、斜視図（Ｂ）、拡大図（Ｃ）である。
【図５】本発明の混成集積回路装置の製造方法を説明する平面図（Ａ）、斜視図（Ｂ）、拡大図（Ｃ）である。
【図６】本発明の混成集積回路装置の製造方法を説明する斜視図（Ａ）、断面図（Ｂ）である。
【図７】本発明の混成集積回路装置の製造方法を説明する断面図である。
【図８】本発明の混成集積回路装置の製造方法を説明する断面図である。
【図９】本発明の混成集積回路装置の製造方法を説明する平面図である。
【図１０】本発明の混成集積回路装置の製造方法を説明する斜視図（Ａ）、断面図（Ｂ）である。
【図１１】本発明の混成集積回路装置の製造方法を説明する断面図である。
【図１２】従来の混成集積回路装置の斜視図（Ａ）、断面図（Ｂ）である。
【図１３】従来の混成集積回路装置の製造方法を説明する平面図（Ａ）、断面図（Ｂ）である。
【図１４】従来の混成集積回路装置の製造方法を説明する平面図（Ａ）、断面図（Ｂ）である。
【図１５】従来の混成集積回路装置の製造方法を説明する平面図である。
【図１】
2008022033.tif 000003
【図２】
2008022033.tif 000004
【図３】
2008022033.tif 000005
【図４】
2008022033.tif 000006
【図５】
2008022033.tif 000007
【図６】
2008022033.tif 000008
【図７】
2008022033.tif 000009
【図８】
2008022033.tif 000010
【図９】
2008022033.tif 000011
【図１０】
2008022033.tif 000012
【図１１】
2008022033.tif 000013
【図１２】
2008022033.tif 000014
【図１３】
2008022033.tif 000015
【図１４】
2008022033.tif 000016
【図１５】
2008022033.tif 000017